(57)【要約】【課題】チューニング作業を容易に行うことができるとともに、演奏時の振動による調整用ボルトの緩みを効果的に防止してチューニングのずれを極力抑制することのできるドラム、及び該ドラムにおけるヘッド調整装置を提供する。【解決手段】ラグボルト９の回転操作部としての頭部９ａの下面（押圧面）と上側フープ６との間には、ゴム付ワッシャー１６が挿入されている。ゴム付ワッシャー１６は、ゴム製の弾性体１５と、外形形状が弾性体１５の外周を覆うように形成された椀型のカバー部１４とによって構成されている。カバー部１４は、弾性体１５の外周を覆う円筒状に形成された筒部を有しており、弾性体１５はその下端部がカバー部１４の筒部の下面よりも下方に突出した状態に組み付けられる。そして、ラグボルト９が締められると、弾性体１５がカバー部１４に潰されるため、カバー部１４の筒部の下面と上側フープ６の上面とが当接した状態となる。【選択図】      図３
2006058849.tif 000002
【特許請求の範囲】
【請求項１】
開口部を備えた筒状の胴体部と、当該胴体部の外周に配置された複数個の固定具と、前記胴体部の開口部を覆うヘッドと、当該ヘッドを保持して前記胴体部の外周に嵌合され且つ前記胴体部の軸方向に移動可能なヘッド枠と、前記ヘッドの外周に前記ヘッド枠を挟んで前記固定具と対向するように嵌合されるフープと、当該フープに設けられたボルト用取付孔に挿通される調整用ボルトであって、その頭部が前記固定具に設けられたナットと前記フープを挟んで対向すると共に、その先端に設けられたねじ部が前記ナットに螺合し、当該ナットに対する前記ねじ部の螺合量が変化させられることにより、その頭部が前記フープを介して前記ヘッド枠を押圧する押圧力が変化する調整用ボルトとを有し、当該調整用ボルトの進退により前記ヘッドの張力が調整されるドラムにおいて、
前記調整用ボルトの頭部と前記フープとの間に配置される緩み止め装置を備え、当該緩み止め装置は、前記調整用ボルトの外周に嵌合する環状の弾性体と、当該弾性体の前記調整用ボルトの進退方向における潰し量を一定にする潰し量設定部とを含んで構成されることを特徴とするドラム。
【請求項２】
前記緩み止め装置は、前記弾性体の前記調整用ボルトの径方向外方側への弾性変形を抑制する抑制部を有することを特徴とする請求項１に記載のドラム。
【請求項３】
前記緩み止め装置は、前記弾性体の外周を覆う筒部を備えたカバー部を有し、当該カバー部の筒部の内側面によって前記抑制部が構成されるとともに、前記カバー部の筒部によって前記弾性体の潰し量を一定にする前記潰し量設定部が構成されることを特徴とする請求項２に記載のドラム。
【請求項４】
前記弾性体の内径は、弾性変形しない状態において前記調整用ボルトの外径より僅かに小さいことを特徴とする請求項３に記載のドラム。
【請求項５】
請求項１乃至請求項４のいずれか１項に記載のドラムにおける調整用ボルトと、緩み止め装置とを備えたことを特徴とするドラムにおけるヘッド調整装置。
【発明の詳細な説明】
【技術分野】
【０００１】
本発明は、ドラム及びドラムにおけるヘッド調整装置に関する。
【背景技術】
【０００２】
バスドラムやスネアドラム等のドラムでは、ドラムの胴体部の外周に複数個設けられたヘッド調整装置にてドラムヘッドの張力を調整するようになっている（例えば、特許文献１参照）。図６（ａ）は、こうしたヘッド調整装置の代表的な構成の一例を示す要部断面図であって、特に上側ヘッドの張力を調整するヘッド調整装置を示している。
【０００３】
図６（ａ）に示すように、ドラム２２には、上下両端が開放された円筒状の胴体部２が設けられ、その胴体部２の両側開口部を塞ぐように円盤形状の上側ヘッド３、下側ヘッド（図示略）がそれぞれ設けられている。上側ヘッド３はその外周縁を、胴体部２の外周に嵌合される環状の上側ヘッド枠５によって保持されている。上側ヘッド枠５の上側には、同じく上側ヘッド枠５の外周を覆うように形成された環状の上側フープ６が上側ヘッド枠５の上面に当接した状態で且つ胴体部２からは離間した状態で設けられている。
【０００４】
このように配置される上側ヘッド３の張りを調整するヘッド調整装置２３は、胴体部２の外周に固定される固定具としてのラグ７と、ラグ７内に組み込まれるようにラグ７の上端に設けられるラグナット８と、そのラグナット８と上側フープ６とを連結するラグボルト９等で構成されている。ラグボルト９は上側フープ６に形成されたボルト用取付孔１３に上方から挿入されており、その先端がラグナット８の内部まで到達して螺合している。以上の構成において、上側ヘッド３の張りを調整する際には、ラグボルト９を回転させてラグボルト９をラグナット８に対して進退移動させることにより、上側フープ６を上側ヘッド枠５に押し付けて、上側ヘッド枠５を軸線に沿う下方向へ移動させるようになっている。
【０００５】
ところで、ドラム２２の演奏中には、演奏による振動によってラグボルト９が緩み、チューニングが狂ってしまうことがある。このため、従来から、ラグボルト９の緩みを防止する種々の構造が提案されている。例えば、上記のヘッド調整装置２３においては、ラグ７内のラグナット８の下に薄いゴムシート１１を設けている。ゴムシート１１には横長楕円形状の孔１２（図６（ｂ）参照）が貫通形成されており、この孔１２にラグボルト９の先端に形成されたねじ部９ｂが挿通されている。したがって、ラグボルト９のねじ部９ｂの谷部内にゴムシート１１が変形して圧入状態となるため、ラグボルト９は不用意に回転しにくくなっている。
【特許文献１】特開平０５−３０７３８３
【発明の開示】
【発明が解決しようとする課題】
【０００６】
しかしながら、ゴムシート１１は弾力性があり柔軟であるため、上記のようにラグボルト９のねじ部９ｂの谷部内にゴムシート１１が圧入状態とされていても、上側ヘッド３が大きく振動した場合や、長期間演奏を続けているとやはり徐々にラグボルト９が緩んでしまうという問題があった。
【０００７】
また、図示を省略した別な緩み防止構造としては、上記のゴムシート１１に替えナイロン製のリング状部材を用いるものがある。このナイロン製のリング状部材にはラグボルトの外径よりやや小径の孔が穿設されており、この孔にラグボルトをねじ込む構成とされているため、リング状部材とラグボルトのねじ部との間に大きな摩擦力が生じ、この摩擦力が衝撃や振動を抑えるためラグボルトの回転を防ぐことができる。この点、上記のようなゴムシート１１を設ける構成と比べて、リング状部材を用いる構成の場合には、長時間演奏してもその振動によってラグボルトは緩みにくいものとなる。しかし、その一方で、リング状部材を用いる構成の場合には、調整時においても摩擦力が大きい分ラグボルトの締め込みに際して必要なトルクが大きくなり、専用のドラムキーを使用しないとラグボルトを回せないためチューニング作業が非常にやりにくい。また、長期間使用しているとリング状部材が塑性変形して摩擦力が小さくなり、やはり次第にリング状部材とラグボルトとの間に緩みが生じてしまうという問題もあった。
【０００８】
さらに別の緩み防止構造として、ラグナットの外側に別のロックナットを備えてダブルナット構造とする方法や、ラグボルトの頭部にプラスチック製の薄板部材をセットしてその薄板部材を上側フープに連結することでラグボルトの回転を防止する方法等がある。しかし、チューニングが狂って再度のチューニングが必要な際には、ロックナットを緩めたり薄板部材を取り外したりしなければならず、いずれの構成にしてもチューニング時の作業行程数が多くなり作業が煩雑であった。
【０００９】
本発明はこのような問題に鑑みてなされたものであり、その目的は、チューニング作業を容易に行うことができるとともに、演奏時の振動による調整用ボルト（ラグボルト）の緩みを効果的に防止してチューニングのずれを極力抑制することのできるドラム、及び該ドラムにおけるヘッド調整装置を提供することにある。
【課題を解決するための手段】
【００１０】
上記目的を達成するために、請求項１に係るドラムは、開口部を備えた筒状の胴体部と、当該胴体部の外周に配置された複数個の固定具と、前記胴体部の開口部を覆うヘッドと、当該ヘッドを保持して前記胴体部の外周に嵌合され且つ前記胴体部の軸方向に移動可能なヘッド枠と、前記ヘッドの外周に前記ヘッド枠を挟んで前記固定具と対抗するように嵌合されるフープと、当該フープに設けられたボルト用取付孔に挿通される調整用ボルトであって、その頭部が前記固定具に設けられたナットと前記フープを挟んで対向すると共に、その先端に設けられたねじ部が前記ナットに螺合し、当該ナットに対する前記ねじ部の螺合量が変化させられることにより、その頭部が前記フープを介して前記ヘッド枠を押圧する押圧力が変化する調整用ボルトとを有し、当該調整用ボルトの進退により前記ヘッドの張力が調整されるドラムにおいて、前記調整用ボルトの頭部と前記フープとの間に配置される緩み止め装置を備え、当該緩み止め装置は、前記調整用ボルトの外周に嵌合する環状の弾性体と、当該弾性体の前記調整用ボルトの進退方向における潰し量を一定にする潰し量設定部とを含んで構成されることを特徴とする。
【００１１】
請求項２に係るドラムは、請求項１に記載のドラムにおいて、前記緩み止め装置は、前記弾性体の前記調整用ボルトの径方向外方側への弾性変形を抑制する抑制部を有することを特徴とする。
【００１２】
請求項３に係るドラムは、請求項２に記載のドラムにおいて、前記緩み止め装置は、前記弾性体の外周を覆う筒部を備えたカバー部を有し、当該カバー部の筒部の内側面によって前記抑制部が構成されるとともに、前記カバー部の筒部によって前記弾性体の潰し量を一定にする前記潰し量設定部が構成されることを特徴とする。
【００１３】
請求項４に係るドラムは、請求項３に記載のドラムにおいて、前記弾性体の内径は、弾性変形しない状態において前記調整用ボルトの外径より僅かに小さいことを特徴とする。
請求項５に係るドラムにおけるヘッド調整装置は、請求項１乃至請求項４のいずれか１項に記載のドラムにおける調整用ボルトと、緩み止め装置とを備えたことを特徴とする。
【発明の効果】
【００１４】
本発明によれば、チューニング作業を容易に行うことができるとともに、演奏時の振動による調整用ボルトの緩みを効果的に防止してチューニングのずれを極力抑制することができる。
【発明を実施するための最良の形態】
【００１５】
以下、本発明を具体化した一実施形態を図１〜図４にしたがって説明する。なお、従来技術（図６参照）と同様の構成については同様の符号を付して説明することとする。
図１は、本実施形態におけるドラム１の全体平面図であって、図２はその全体側面図である。各図に示すように、ドラム１は上下両端が開放された円筒状の胴体部２を備え、円盤形状の上側ヘッド３、下側ヘッド（図示略）が胴体部２の両端開口部２ａを塞ぐようにそれぞれ設けられている。胴体部２の外周には、上側ヘッド３及び下側ヘッドの張りを調整するためのヘッド調整装置４が等角度間隔をおいてそれぞれ複数個（本実施形態では上下各８個ずつ）設けられている。
【００１６】
図３は、図２のＡ−Ａ線における部分断面図であって、ヘッド調整装置（上側ヘッドの張力を調整するヘッド調整装置）４を説明する図である。また、図３は、ドラム１の演奏時の設置状態における態様を示している。図３に示すように、上側ヘッド３はその外周縁を、胴体部２の外周に嵌合される環状の上側ヘッド枠５によって保持されている。上側ヘッド枠５の上側には、同じく上側ヘッド枠５の外周を覆うように形成された環状の上側フープ６が上側ヘッド枠５の上面に当接した状態で且つ胴体部２からは離間した状態で設けられている。
【００１７】
このように配置される上側ヘッド３の張りを調整するヘッド調整装置４は、胴体部２の外周に固定される固定具としてのラグ７と、ラグ７内に組み込まれるようにラグ７の上端に設けられるラグナット８と、そのラグナット８と上側フープ６とを連結するラグボルト９等で構成されている。中空体として形成されるラグ７は、その一側面が胴体部２の外周面に密着するように形成されており、胴体部２の内側から挿通された２つのねじ１８によって胴体部２の外周に対して前記上側ヘッド枠５を挟んで前記上側フープ６と対向するように固定されている。ラグ７の上端に設けられるラグナット８は、その上端部がラグ７の上面から突出しており、ラグナット８の下に設けられる脱落防止用のゴムシート１１によって回転止めされた状態で、その下端部がラグ７の内部に固定されている。また、ゴムシート１１には横長楕円形状の孔１２（図６（ｂ）参照）が貫通形成されている。
【００１８】
また、ラグボルト９は、上側フープ６に形成されるボルト用取付孔１３に上方から挿入されており、その頭部（回転操作部）９ａが前記ラグナット８と前記上側フープ６を挟んで対向すると共に、ラグボルト９のねじ部９ｂとして形成された先端がラグナット８及びゴムシート１１の孔１２を貫通している。これにより、ラグボルト９のねじ部９ｂの谷部内にゴムシート１１が変形して圧入状態となるため、ラグボルト９は不用意に回転しにくくなっている。さらに、ラグボルト９の回転操作部としての頭部９ａの下面（押圧面）と上側フープ６との間には、ゴム付ワッシャー１６が挿入されている。ゴム付ワッシャー１６は、ゴム製のリング状の弾性体１５と、外形形状が弾性体１５の外周を覆うように形成された全体が椀型のカバー部１４とによって構成されている。このカバー部１４は、中央にラグボルト９を挿通するための挿通穴１４ｃが形成された底部１４ａと、その底部１４ａの外周縁から下方へ延びる筒部１４ｂとからなり、その筒部１４ｂは前記弾性体１５の外周を覆う円筒状に形成されている。
【００１９】
図４は、ラグボルト９の頭部９ａ近傍、特にゴム付ワッシャー１６の構成を示す側面図である。なお、図４は、演奏時の設置状態等の一般的態様を示す図３とは異なり、ラグボルト９単体にゴム付ワッシャー１６を取り付けたときの態様を示している。図４に２点鎖線で示すように、本実施形態では、弾性体１５の内径は、ラグボルト９に装着前の、弾性変形しない状態において、ラグボルト９の外径より僅かに小さい。そしてラグボルト９に装着した状態では弾性体１５の内周は、ラグボルト９の周面に沿って伸ばされるように変形し、その内周面がラグボルト９の表面に密着するように環装される。カバー部１４の内径となる前記挿通穴１４ｃの内径はラグボルト９の外径より僅かに大きくなっている。そして、弾性体１５の下端部はカバー部１４の筒部１４ｂの下面より下方へ突出している。こうした構成により、ラグボルト９の外周に取り付けられたゴム付ワッシャー１６は、弾性体１５の内向きへの弾性復帰の力によってラグボルト９に固定される。このため、上側ヘッド３を交換する際にラグボルト９を外した場合でも、ゴム付ワッシャー１６がラグボルト９から脱落しないようになっている。
【００２０】
また、ラグボルト９がなんら締められていない状態では図４に示すように、カバー部１４の筒部１４ｂの下面と上側フープ６の上面との間には隙間Ｓが形成されている。なお、この隙間Ｓが、ラグボルト９の進退方向（図４において上下方向）における弾性体１５の潰し量に相当する。また、図３に示すように、演奏時の設置状態等でラグボルト９が適度に締められた場合、弾性体１５は、ラグボルト９の頭部９ａの下面と上側フープ６との間で圧縮されて、隙間Ｓに相当する潰し量分だけ潰れた押圧状態で設置される。そして、弾性体１５が潰し量（隙間Ｓ）分だけ潰れた押圧状態では、カバー部１４の筒部１４ｂの下面と上側フープ６の上面とが当接して隙間Ｓはなくなり、カバー部１４の底部１４ａはラグボルト９の頭部９ａの下面に当接し、上側フープ６の上面はカバー部１４の筒部１４ｂの下面及び弾性体１５の下面に当接するようになっている。
【００２１】
この図３の状態においては、カバー部１４と上側フープ６には、潰れた弾性体１５が上下方向に弾性復帰しようとする力が常に作用している。これらのゴム付ワッシャー１６の作用効果については本発明の要部であるため、後に詳述することとする。なお、カバー部１４の底部１４ａがラグボルト９の頭部９ａの下面に当接し、カバー部１４の筒部１４ｂの下面と上側フープ６の上面との隙間Ｓが一定とされることで、本実施形態では前記カバー部１４の筒部１４ｂにより潰し量設定部が構成されている。また、本実施形態では、カバー部１４の筒部１４ｂの内側面１４ｄが抑制部に相当するものであって、前記ゴム付ワッシャー１６にて調整用ボルト（ラグボルト９）の緩み止め装置が構成されている。さらに、本実施形態では、ラグボルトの外径は５ｍｍ、カバー部１４の外径は１２ｍｍ、厚みは３ｍｍ程度となっている。また、隙間Ｓは１ｍｍ程度となっている。
【００２２】
以上の構成により、ラグボルト９の頭部９ａを回転させてラグボルト９とラグナット８との螺合量を調整することで上側ヘッド３の張りを調整できるようになっている。具体的には、例えば上側ヘッド３を張る方向にチューニングする場合、図３における態様から、ラグボルト９の頭部９ａを時計方向Ｃに回転させてラグナット８との螺合量が増加するよう調整する。すると、ラグボルト９はその回転量に応じて下降し、それに伴いラグボルト９の頭部９ａの下面が上側フープ６を下方へ押し付けて、さらに上側フープ６が上側ヘッド枠５を下方へ押し付けて、上側ヘッド枠５を軸線に沿う下方向へ移動させる。よって、上側ヘッド枠５に保持された上側ヘッド３は、下方へ引っ張られるようにして張る方向に調整される。また、上側ヘッド３を緩める方向にチューニングする場合は、ラグボルト９の頭部９ａを時計方向Ｃと反対方向に回転させれば、上記と逆の作用により上側ヘッド３を緩める方向に調整することができる。
【００２３】
次に、演奏時の振動によるラグボルト９の緩み防止作用について、本発明の要部構成であるゴム付ワッシャー１６の作用を中心に説明する。演奏時の振動を詳しく見ると、図３において、演奏中上側ヘッド３を叩くと上側ヘッド３は瞬間的に張られる方向に力を受けるため、上側ヘッド枠５には上方への力が働く。さらにこの上方への力を受けた上側ヘッド枠５が上側フープ６を上方へ押し上げることによりラグボルト９及びゴム付ワッシャー１６等も同様に上方へ押し上げられる。次いで、上側ヘッド３を叩いた直後は、上側ヘッド３は張られる方向に受けていた力の開放により瞬間的に緩むことになる。この場合、上記と逆の作用により上側ヘッド枠５及び上側フープ６は下方へ移動してもとの位置（上側ヘッド３を叩く前の図３に示す位置）に復帰する。
【００２４】
このとき、ラグボルト９及びゴム付ワッシャー１６も併せて下降するが、慣性によりこれらの部材は上側ヘッド枠５等と比べて瞬時遅れて下降するため、ラグボルト９の頭部９ａの下面と上側フープ６との間隔は瞬間的に広くなる（図３、図４においてＳ１＜Ｓ２）。ここで、上記したようにカバー部１４には潰れた弾性体１５が上下方向に弾性復帰しようとする力が常に作用しているため、間隔が広くなった場合（即ち、Ｓ２の場合）には図４に示すように弾性体１５が上下に拡大するように弾性復帰変形する。このため、カバー部１４の底部１４ａはラグボルト９の頭部９ａの下面に当接し、弾性体１５の下面は上側フープ６に当接した状態が維持されることとなる。その後、ラグボルト９とカバー部１４は再び元の位置（図３の状態）に下降することになるが、併せて弾性体１５は再び上下方向に潰されて図３の設置状態に戻ることとなる。
【００２５】
このように、振動によりラグボルト９が上下動する際にも、予め隙間Ｓに相当する潰し量分だけ弾性体１５を潰しているため、ラグボルト９の頭部９ａの下面及び上側フープ６には弾性復帰による力が作用し続けている。このため、弾性体１５が振動を吸収するように作用し、ラグボルト９の頭部９ａの下面とカバー部１４との間、弾性体１５と上側フープ６の上面との間に振動によって隙間が生じることがない。よって、ラグボルト９の不用意な回転を抑制してラグボルト９の緩みを防止することができるため、演奏時にチューニングが狂うこともない。また、予め隙間Ｓにて弾性体１５のラグボルト９の進退方向（軸線に沿う方向）における潰し量を一定にしているため、ラグボルト９の締め込みに伴い弾性体１５が塑性変形することがなく、常に一定の反力が得られ繰り返し使用することができる。
【００２６】
また、弾性体１５の内径はラグボルト９の外径より僅かに小さくなっており、弾性体１５の外周を覆うカバー部１４の筒部１４ｂの内側面１４ｄによって外方向（ラグボルト９の径方向外方）への弾性変形が内側へ押し戻されるようにして抑制されている。このため、弾性体１５の内径部がラグボルト９を押し付けるように作用し、弾性体１５のラグボルト９に対する摩擦力が高まるためラグボルト９をさらに緩みにくくすることができる。
【００２７】
さらに、弾性体１５が潰れ始めるまではラグボルト９を締めるために必要以上のトルクがかからないため、所定のチューニングキーを使わなくてもある程度までは手でラグボルト９を回転操作することができる。なお、これまで上側ヘッド３の張りを調整するヘッド調整装置４に着目して説明したが、下側ヘッドの張りを調整するヘッド調整装置４も同様の構成であって上記上側ヘッド３のヘッド調整装置４と同様に緩み止め構造体（ゴム付きワッシャー１６）を採用することができる。
【００２８】
上記実施形態によれば、以下のような効果を得ることができる。
（１）上記実施形態では、ラグボルト９の回転操作部としての頭部９ａの下面（押圧面）と上側フープ６との間に、ゴム製の弾性体１５がカバー部１４に組み込まれて構成されたゴム付ワッシャー（緩み止め構造体）１６が挿入されている。この構成により、演奏における振動が生じた際には弾性体１５が弾性復帰して振動を吸収し、ラグボルト９の頭部９ａの下面とカバー部１４との間、弾性体１５と上側フープ６の上面との間には振動によって隙間Ｓが生じることがない。従って、ラグボルト９の不用意な回転を抑制してラグボルト９が緩まないようにすることができる。演奏時の振動によってチューニングが狂うことを極力防止できる。
【００２９】
（２）上記実施形態では、ゴム付ワッシャー１６は、ゴム製の弾性体１５と、外形形状が弾性体１５の外周を覆うように形成された椀型のカバー部１４とによって構成され、そのカバー部１４は、中央にラグボルト９を挿通するための挿通穴１４ｃが形成された底部１４ａと、その底部１４ａの外周縁から下方へ延びる筒部１４ｂとからなる。このため、カバー部１４の筒部１４ｂの内側面１４ｄが弾性体１５の外方向（ラグボルト９の径方向外方）への弾性変形を抑制して当該弾性体１５を内方向へと変形するように導き、弾性体１５はラグボルト９を押し付けるように作用する。よって、弾性体１５のラグボルト９に対する摩擦力が高まるためラグボルト９をさらに緩みにくくすることができる。
【００３０】
（３）また、カバー部１４の筒部１４ｂの下面と上側フープ６の上面との間には隙間Ｓが形成され、弾性体１５のラグボルト９の進退方向（軸線に沿う方向）における潰し量を一定にしている。このため、ラグボルト９の締め込みに伴い弾性体１５が塑性変形することがなく、繰り返し使用することができる。
【００３１】
（４）上記実施形態では、弾性体１５の内径はラグボルト９の外径より僅かに小さい。このため、ゴム付ワッシャー１６は、弾性体１５が内向きへ弾性復帰する力によってラグボルト９に固定される。よって、ラグボルト９を外した場合でも、ゴム付ワッシャー１６がラグボルト９から脱落することがなく、ゴム付ワッシャー１６を紛失することもない。
【００３２】
なお、上記実施形態は以下のように変更してもよい。
・上記実施形態において、ラグボルト９の回転操作時に抵抗が大きければ、図５に示すようにゴム付ワッシャー２０（１６）の下側に平ワッシャー１７を設けてもよい。この構成によれば、平ワッシャー１７によって弾性体１５の回転による摩擦抵抗が軽減されるため、チューニング操作を良好にできる。また、弾性体１５が摩擦により摩耗したり破損したりすることを極力防止できる。なお、平ワッシャー１７は金属製、樹脂製等いずれであってもよい。また、金属製の平ワッシャー１７とする場合は、平ワッシャー１７を焼付けにより弾性体１５と一体に固定してもよい。この場合、ゴム付ワッシャー２０（１６）と平ワッシャー１７とが一体化され、ラグボルト９を外した際にそれぞれの部材が離散することがない。
【００３３】
・さらに、樹脂製の平ワッシャー１７の内周に径方向内方に突出する複数のリブ２１（図５参照）を設ける構成としてもよい。具体的には例えば、平ワッシャー１７のリブ２１の内方向先端における内径はラグボルト９の外径より僅かに小さくなるようにし、リブ２１は平ワッシャー１７の内周に沿って複数箇所に所定ピッチ間隔をおいて点在形成することにより実施できる。この構成によれば、樹脂製の平ワッシャー１７のリブ２１が弾性変形してラグボルト９を内方向（径方向内方）に押し付けるように作用するため、ラグボルト９を外した場合でも平ワッシャー１７が脱落することがなく紛失することもない。
【００３４】
・上記実施形態では、弾性体１５の内径は、ラグボルト装着前の弾性変形しない状態において、ラグボルト９の外径より僅かに小さいものとしたが、ラグボルト９と同径もしくは僅かに大きい内径の弾性体１９としてもよい（図５参照）。この場合であっても、弾性体１９が弾性復帰して演奏時の振動を吸収することによる上記詳述したラグボルト９の緩み止め効果を十分に奏することができる。さらに、上記別例で記載したようにリブ付きの平ワッシャー１７と組み合わせて実施すれば、ゴム付ワッシャー２０及び平ワッシャー１７が共にラグボルト９から脱落することを防止できる。
【００３５】
・ゴム付ワッシャー１６におけるカバー部１４の上下の向きは逆でもよい。また、その場合、カバー部１４の筒部１４ｂの下面がラグボルト９の頭部９ａの下面に当接しカバー部１４の底部１４ａが上側フープ６に当接する態様にて実施することができ、上記と同様の効果を奏する。もちろん、この構成において、上記別例の平ワッシャー１７をラグボルト９の頭部９ａの下面とゴム付ワッシャー１６の間に設けてもよい。
【００３６】
・上記実施形態のカバー部１４は、底部１４ａを有する椀型形状としたが、底部１４ａを有さない環状の部材としてもよい。この場合であっても、環状の部材の下面より弾性体１５の下面が下方に位置するようにすれば、環状の部材の下面と上側フープ６との間に所定の隙間が形成されるため、上記実施形態と同様に潰し量設定部としての機能・効果を奏すことができる。
【００３７】
・また、図３、図４に示すようにカバー部１４は弾性体１５の外周に密着する形態としたが、弾性体１５の外周と所定の隙間を有する構成としてもよい。弾性体１５の弾性係数によっても変わるが、演奏中の振動に対して所定の潰し量による弾性復帰作用が得られれば、密着もしくは隙間を有するか否かは適宜変更することができる。
【００３８】
・上記実施形態のヘッド調整装置４は、胴体部２の外周に固定されるラグ７とラグナット８、ラグボルト９等を有する構成としたが、その他、テンションパイプ等によって構成されるタイプのヘッド調整装置においても、上記の緩み止め構造体（ゴム付ワッシャー１６）は同様に採用することができる。
【図面の簡単な説明】
【００３９】
【図１】本実施形態におけるドラムの全体平面図。
【図２】本実施形態におけるドラムの全体側面図。
【図３】図２のＡ−Ａ線における部分断面図であって、ヘッド調整装置を説明する図。
【図４】ラグボルトの頭部近傍、特にゴム付ワッシャーの構成を示す側面図。
【図５】別の実施形態におけるラグボルトの頭部近傍の構成を示す側面図。
【図６】（ａ）は従来におけるドラムの部分断面図であって、（ｂ）は（ａ）におけるＢ−Ｂ線矢視断面図。
【符号の説明】
【００４０】
１…ドラム、２…胴体部、２ａ…開口部、３…上側ヘッド、４…ヘッド調整装置、５…上側ヘッド枠、６…上側フープ、７…ラグ（固定具）、８…ラグナット、９…ラグボルト（調整用ボルト）、９ａ…頭部、９ｂ…ねじ部、１１…ゴムシート、１３…ボルト用取付孔、１４…カバー部、１４ａ…底部、１４ｂ…筒部、１４ｄ…内側面（抑制部）、１５，１９…弾性体、１６，２０…ゴム付ワッシャー（緩み止め装置）。
【図１】
2006058849.tif 000003
【図２】
2006058849.tif 000004
【図３】
2006058849.tif 000005
【図４】
2006058849.tif 000006
【図５】
2006058849.tif 000007
【図６】
2006058849.tif 000008